(57)【要約】【課題】ウェブサイトへのアクセス集中を抑制する。【解決手段】アクセス制御装置１０は、取得したコンテンツ情報を既存情報と新規情報とに分類するコンテンツ情報分類部１０５と、コンテンツ情報分類部１０５により分類された既存情報と新規情報とを記憶する記憶部１１０と、前記記憶部１１０に記憶された新規情報の少なくとも一部へのアクセスを抑制するアクセス抑制ポータルページと、前記記憶部に記憶された新規情報へのアクセスを抑制しないアクセス促進ポータルページとを生成するウェブページ生成部１１５と、ユーザからのアクセスに対して、所定のアクセス条件に基づきユーザに送信するウェブページを前記アクセス抑制ポータルページ又はアクセス促進ポータルページのいずれかに切り替えるウェブページ切替部１２０とを備える。【選択図】図１
2010073053.tif 000002
【特許請求の範囲】
【請求項１】
取得したコンテンツ情報を既存情報と新規情報とに分類するコンテンツ情報分類部と、
前記コンテンツ情報分類部により分類された新規情報の少なくとも一部へのアクセスを抑制するアクセス抑制ポータルページと、前記コンテンツ情報分類部により分類された新規情報へのアクセスを抑制しないアクセス促進ポータルページとを生成するウェブページ生成部と、
ユーザからのアクセスに対して、所定のアクセス条件に基づきユーザに送信するウェブページを前記アクセス抑制ポータルページ又はアクセス促進ポータルページのいずれかに切り替えるウェブページ切替部と、を備えるアクセス制御装置。
【請求項２】
前記コンテンツ情報分類部により分類された既存情報と新規情報とを記憶する記憶部を更に備え、
前記ウェブページ生成部は、前記記憶部に記憶された新規情報の少なくとも一部へのアクセスを抑制するアクセス抑制ポータルページと、前記記憶部に記憶された新規情報へのアクセスを抑制しないアクセス促進ポータルページとを生成し、
前記ウェブページ切替部は、ユーザからのアクセスに対して、所定のアクセス条件に基づきユーザに送信するウェブページを前記アクセス抑制ポータルページ又はアクセス促進ポータルページのいずれかに切り替える請求項１に記載されたアクセス制御装置。
【請求項３】
前記コンテンツ情報分類部は、新規情報を緊急新規情報と通常新規情報とに分類し、
前記ウェブページ生成部は、前記既存情報と前記緊急新規情報とから前記アクセス抑制ポータルページを生成する請求項１又は請求項２のいずれかに記載されたアクセス制御装置。
【請求項４】
前記ウェブページ生成部は、前記既存情報と前記緊急新規情報と前記通常新規情報とから前記アクセス促進ポータルページを生成する請求項３に記載されたアクセス制御装置。
【請求項５】
前記ウェブページ切替部は、次の（１）〜（５）のいずれかのアクセス条件に基づき、ウェブページを前記アクセス抑制ポータルページ又は前記アクセス促進ポータルページのいずれかに切り替えてユーザに送信する請求項１〜４のいずれかに記載されたアクセス制御装置。
（１）ランダムに切り替える
（２）所定時間経過後毎に切り替える
（３）所与の数値を加工して、前記アクセス抑制ポータルページと前記アクセス促進ポータルページへのアクセス割合が予め定められた割合になるように生成された０又は１の値に基づき切り替える
（４）所定単位時間当たりのウェブアクセス数を所定時間毎に取り込み、取り込んだウェブアクセス数が所望の閾値を超えた場合、前記アクセス抑制ポータルページに切り替える
（５）人の活動パターンに基づくウェブアクセス数を予測し、予測したウェブアクセス数が所望の閾値を超えた場合、前記アクセス抑制ポータルページに切り替える
【請求項６】
前記ウェブページ生成部は、所定時間内に取得した新規情報を除いた新規情報及び前記既存情報とから前記アクセス抑制ポータルページを生成する請求項１〜５のいずれかに記載されたアクセス制御装置。
【請求項７】
前記ウェブページ切替部は、前記アクセス抑制ポータルページの生成時に基づき、ユーザに送信するウェブページを前記アクセス抑制ポータルページ又はアクセス促進ポータルページのいずれかに切り替える請求項６に記載されたアクセス制御装置。
【請求項８】
前記ウェブページ切替部は、前記アクセス抑制ポータルページの生成時からの経過時間が所与の閾値以内の間、ウェブページを前記アクセス抑制ポータルページに切り替えてユーザに送信する請求項７に記載されたアクセス制御装置。
【請求項９】
取得したコンテンツ情報を既存情報と新規情報とに分類し、
前記コンテンツ情報分類部により分類された既存情報と新規情報とを記憶部に記憶し、
前記記憶部に記憶された新規情報の少なくとも一部へのアクセスを抑制するアクセス抑制ポータルページと、前記記憶部に記憶された新規情報へのアクセスを抑制しないアクセス促進ポータルページとを生成し、
ユーザからのアクセスに対して、所定のアクセス条件に基づきユーザに送信するウェブページを前記アクセス抑制ポータルページ又はアクセス促進ポータルページのいずれかに切り替えるアクセス制御方法。
【請求項１０】
取得したコンテンツ情報を既存情報と新規情報とに分類する処理と、
前記コンテンツ情報分類部により分類された既存情報と新規情報とを記憶部に記憶する処理と、
前記記憶部に記憶された新規情報の少なくとも一部へのアクセスを抑制するアクセス抑制ポータルページと、前記新規情報へのアクセスを抑制しないアクセス促進ポータルページとを生成する処理と、
ユーザからのアクセスに対して、所定のアクセス条件に基づきユーザに送信するウェブページを前記アクセス抑制ポータルページ又はアクセス促進ポータルページのいずれかに切り替える処理と、をコンピュータに実現させるためのプログラム。
【発明の詳細な説明】
【技術分野】
【０００１】
本発明はウェブサーバへのアクセス頻度を分散させるアクセス制御装置、アクセス制御方法及びプログラムに関する。
【背景技術】
【０００２】
ウェブサーバにおけるアクセス頻度の変動は、一般的には、人の活動パターンに由来するものとコンテンツの中身の話題性の変動により引き起こされるものとに分けられる。たとえば、人の活動パターンに由来するアクセス頻度の変動分には、一日の変動（深夜〜早朝はすくなく、昼間は平均的、夜間に最大ピーク）、一週間の変動（平日と休日のアクセス頻度も違いがある）などが挙げられる。コンテンツの中身の話題性の変動により引き起こされるアクセス頻度の変動分には、おもに人気度や情報の新鮮さというウェブサイトのコンテンツの中身や、たとえば最新情報や関心の高い情報、あるいはなんらかの期限がある情報などが挙げられる。ウェブサーバは、これらのアクセス頻度が最大担った場合でも所定時間内でのアクセス応答を確保することが必要である。これに対応するためにはウェブサーバの処理能力の増強が必要になりコストアップに繋がるだけでなく、ウェブサーバを構築及び運用するための費用も比例的に増大する。
【０００３】
そのため、たとえば特許文献１〜４に示されるように、ウェブの閲覧者（ユーザ）のクライアント端末に対してユーザＩＤを要求し、ユーザＩＤによりアクセス制限やコンテンツ視聴制限をかける手法や、特許文献５に示されるように、ウェブサイトのアクセス数に上限を設けて、それを超えるアクセスに対してはビジーページを表示するものがあった。
【０００４】
またウェブの閲覧者側からの自衛手段としては、特許文献６に示されるように、ウェブアクセスの混み具合をエージェントを使って測定し、ウェブサイトの混み具合を、ウェブページの状態を示すシンボル（たとえば、文字や画像等）で表すものもあった。
【０００５】
【特許文献１】特開平１１−１６１６０２号公報
【特許文献２】特開２００２−７３４７号公報
【特許文献３】特開２００２−３２４０７４号公報
【特許文献４】特開２００２−３５１９１３号公報
【特許文献５】特開２００６−２５９７８３号公報
【特許文献６】特開２００３−５０８２４号公報
【発明の開示】
【発明が解決しようとする課題】
【０００６】
しかしながら、特許文献１〜４に示されるユーザＩＤによる利用制限では、ユーザＩＤの登録管理処理が必要なため、ウェブサーバ側と利用者側双方に手間やコストがかかるという課題があった。また、無料ウェブサイトのように、自由なアクセスを許可するウェブサイトの場合には、その趣旨にそぐわず、利用者から敬遠されてしまう可能性があった。
【０００７】
また、特許文献５に示したように、ウェブサイトのアクセス数に上限を設けたり、ビジー情報ページを表示したりするものは、ウェブサイトにアクセスしてからその閲覧制限が分かる。このため、乱用すると利便性が悪くなり、利用者から敬遠されてしまう可能性がある。また、各々のアクセスに対してビジー情報ページを送出すること自身がウェブサーバに処理をさせるため、必ずしもウェブサーバの処理負荷の低減につながらない可能性があった。
【０００８】
また、特許文献６に示したように、ウェブアクセスの混み具合をエージェントをつかって測定する手法では、エージェントのアクセス数と利用者のアクセス数を足した総アクセス数はエージェントを使用しない場合と比べて逆に増加し、ひいてはアクセスピークの増大につながる可能性すらある。また、そのようなエージェントを使うウェブクライアントの普及では、ウェブサイト側ではコントロールできないものに頼ることになるため、それが効果を表す時期が予測できないという課題があった。
【０００９】
上記課題を解消するために、本発明では、所定のアクセス条件に基づき、新規情報をユーザに送信するタイミングを制御することにより、ウェブサイトへのアクセス集中を抑制するアクセス制御装置、アクセス制御方法及びプログラムを提供する。
【課題を解決するための手段】
【００１０】
上記課題を解決するために、本発明のある態様によれば、取得したコンテンツ情報を既存情報と新規情報とに分類するコンテンツ情報分類部と、前記コンテンツ情報分類部により分類された新規情報の少なくとも一部へのアクセスを抑制するアクセス抑制ポータルページと、前記記コンテンツ情報分類部により分類された新規情報へのアクセスを抑制しないアクセス促進ポータルページとを生成するウェブページ生成部と、ユーザからのアクセスに対して、所定のアクセス条件に基づきユーザに送信するウェブページを前記アクセス抑制ポータルページ又はアクセス促進ポータルページのいずれかに切り替えるウェブページ切替部と、を備えるアクセス制御装置が提案される。
【００１１】
かかる構成によれば、新規情報の少なくとも一部へのアクセスを抑制するアクセス抑制ポータルページと、新規情報へのアクセスを抑制しないアクセス促進ポータルページとが生成される。これにより、ユーザからのアクセスに対してユーザに送信するウェブページを、所定のアクセス条件に基づきアクセス抑制ポータルページ又はアクセス促進ポータルページのいずれかに切り替えることができる。これによれば、所定の場合に新規情報の少なくとも一部へのアクセスを遅らせることができる。これにより、新規コンテンツ公開によるアクセス集中を時間的に分散させることができる。この結果、ウェブサイトのレスポンス応答時間を短縮したり、ウェブサーバの処理能力を高くしたりする必要がないため、ウェブサーバの構築費用やウェブサイトの運用費用を低減することができる。
【００１２】
前記コンテンツ情報分類部により分類された既存情報と新規情報とを記憶する記憶部を更に備え、前記ウェブページ生成部は、前記記憶部に記憶された新規情報の少なくとも一部へのアクセスを抑制するアクセス抑制ポータルページと、前記記憶部に記憶された新規情報へのアクセスを抑制しないアクセス促進ポータルページとを生成し、前記ウェブページ切替部は、ユーザからのアクセスに対して、所定のアクセス条件に基づきユーザに送信するウェブページを前記アクセス抑制ポータルページ又はアクセス促進ポータルページのいずれかに切り替えてもよい。
【００１３】
前記コンテンツ情報分類部は、新規情報を緊急新規情報と通常新規情報とに分類し、前記ウェブページ生成部は、前記既存情報と前記緊急新規情報とから前記アクセス抑制ポータルページを生成してもよい。
【００１４】
前記ウェブページ生成部は、前記既存情報と前記緊急新規情報と前記通常新規情報とから前記アクセス促進ポータルページを生成してもよい。
【００１５】
前記ウェブページ切替部は、次の（１）〜（５）のいずれかのアクセス条件に基づき、ウェブページを前記アクセス抑制ポータルページ又はアクセス促進ポータルページのいずれかに切り替えてユーザに送信してもよい。
【００１６】
（１）ランダムに切り替える。
（２）所定時間経過後毎に切り替える。
（３）所与の数値を加工して、アクセス抑制ポータルページとアクセス促進ポータルページへのアクセス割合が予め定められた割合になるように生成された０又は１の値に基づき切り替える。
（４）所定単位時間当たりのウェブアクセス数を所定時間毎に取り込み、取り込んだウェブアクセス数が所望の閾値を超えた場合、前記アクセス抑制ポータルページに切り替える。
（５）人の活動パターンに基づくウェブアクセス数を予測し、予測したウェブアクセス数が所望の閾値を超えた場合、前記アクセス抑制ポータルページに切り替える。
【００１７】
前記ウェブページ生成部は、所定時間内に取得した新規情報を除いた新規情報及び前記既存情報とから前記アクセス抑制ポータルページを生成してもよい。
【００１８】
前記ウェブページ切替部は、前記アクセス抑制ポータルページの生成時に基づき、ユーザに送信するウェブページを前記アクセス抑制ポータルページ又はアクセス促進ポータルページのいずれかに切り替えてもよい。
【００１９】
前記ウェブページ切替部は、前記アクセス抑制ポータルページの生成時からの経過時間が所与の閾値以内の間、ウェブページを前記アクセス抑制ポータルページに切り替えてもよい。
【００２０】
また、上記課題を解決するために、本発明の他の態様によれば、取得したコンテンツ情報を既存情報と新規情報とに分類し、前記コンテンツ情報分類部により分類された既存情報と新規情報とを記憶部に記憶し、前記記憶部に記憶された新規情報の少なくとも一部へのアクセスを抑制するアクセス抑制ポータルページと、前記記憶部に記憶された新規情報へのアクセスを抑制しないアクセス促進ポータルページとを生成し、ユーザからのアクセスに対して、所定のアクセス条件に基づきユーザに送信するウェブページを前記アクセス抑制ポータルページ又はアクセス促進ポータルページのいずれかに切り替えるアクセス制御方法が提供される。
【００２１】
また、上記課題を解決するために、本発明の他の態様によれば、取得したコンテンツ情報を既存情報と新規情報とに分類する処理と、前記コンテンツ情報分類部により分類された既存情報と新規情報とを記憶部に記憶する処理と、前記記憶部に記憶された新規情報の少なくとも一部へのアクセスを抑制するアクセス抑制ポータルページと、前記新規情報へのアクセスを抑制しないアクセス促進ポータルページとを生成する処理と、ユーザからのアクセスに対して、所定のアクセス条件に基づきユーザに送信するウェブページを前記アクセス抑制ポータルページ又はアクセス促進ポータルページのいずれかに切り替える処理と、をコンピュータに実現させるためのプログラムが提供される。
【発明の効果】
【００２２】
以上説明したように、本発明によれば、所定のアクセス条件に基づき、新規情報をユーザに送信するタイミングを制御することにより、ウェブサイトへのアクセス集中を抑制することができる。
【発明を実施するための最良の形態】
【００２３】
以下に添付図面を参照しながら、発明を実施するための最良の形態（以下実施の形態とする）について説明する。但し、本明細書及び図面において、実質的に同一の機能を有する構成要素については、同一の符号を付することにより重複した説明を省略する。
【００２４】
なお、説明は以下の順序で行う。
１．第１の実施の形態（通常新規情報へのアクセス許可を遅らせる）
２．第２の実施の形態（通常新規情報の最新情報へのアクセス許可を遅らせる）
【００２５】
＜第１の実施の形態＞
［アクセス制御装置の機能］
まず、本発明の第１の実施の形態に係るアクセス制御装置について、図１に示した機能構成図を参照しながら説明する。アクセス制御装置１０は、図示しないウェブクライアント端末（ユーザ端末）に、たとえば、インターネット等のネットワークを介して接続されている。アクセス制御装置１０は、ウェブクライアント端末にウェブサーバ上にあるポータルウェブページを送信するようになっている。アクセス制御装置１０は、ウェブサーバに内蔵されていてもよく、ウェブサーバに接続されていてもよい。
【００２６】
アクセス制御装置１０は、コンテンツ情報分類部１０５、記憶部１１０、ウェブページ生成部１１５、ウェブページ切替部１２０を有している。コンテンツ情報分類部１０５は、取得したコンテンツ情報を既存情報と新規情報とに分類する。記憶部１１０は、コンテンツ情報分類部１０５により分類された既存情報と新規情報とを記憶する。新規情報は、緊急性を要する緊急新規情報と緊急性を要しない通常新規情報とに分けて記憶されている。
【００２７】
ウェブページ生成部１１５は、ウェブサーバ上にあるポータルウェブページを生成する。具体的には、ウェブページ生成部１１５は、記憶部１１０に記憶された新規情報の少なくとも一部へのアクセスを抑制するアクセス抑制ポータルページと、記憶部１１０に記憶された新規情報へのアクセスを抑制しないアクセス促進ポータルページとを生成する。
【００２８】
ウェブページ切替部１２０は、ユーザからのアクセスに対して、所定のアクセス条件に基づきユーザに送信するウェブページをアクセス抑制ポータルページ又はアクセス促進ポータルページのいずれかに切り替える。
【００２９】
所定のアクセス条件としては、次の（１）〜（５）の場合が一例として挙げられる。
（１）ランダムに切り替える。
（２）所定時間経過後毎に切り替える。
（３）所与の数値を加工して、アクセス抑制ポータルページとアクセス促進ポータルページへのアクセス割合が予め定められた割合になるように生成された０又は１の値に基づき切り替える。
（４）所定単位時間当たりのウェブアクセス数を所定時間毎に取り込み、取り込んだウェブアクセス数が所望の閾値を超えた場合、前記アクセス抑制ポータルページに切り替える。
（５）人の活動パターンに基づくウェブアクセス数を予測し、予測したウェブアクセス数が所望の閾値を超えた場合、前記アクセス抑制ポータルページに切り替える。本実施形態では、（３）の所与の数値を加工して生成された０又は１の値に基づき、ポータルページが切り替えられる。
【００３０】
このようにして、アクセス制御装置１０は、アクセス制御装置１０に接続されたウェブクライアント端末を使用したユーザからのアクセスに対して、（ポータル）ウェブページを適宜切り替えて送信することにより、所定の場合、ウェブクライアント端末が最新情報にアクセスすることを所定時間だけ強制的に抑制することが可能になる。
【００３１】
なお、アクセス制御装置１０は、図示しないＣＰＵ、ＲＯＭ、ＲＡＭから構成されていてもよい。たとえば、アクセス制御装置１０に内蔵されたＲＯＭ等にアクセス制御装置１０の主な機能を実現するための処理手順を記述したプログラムやデータを格納しておく。そして、アクセス制御装置１０の主な機能は、ＣＰＵが、格納されたプログラムやデータを読み出して解釈しながら、コンテンツ情報へのアクセス制御（ウェブページの切替）を実行することにより達成される。
【００３２】
［動作］
次に、第１の実施の形態に係るアクセス制御装置１０の各機能部の動作について、図２〜４のフローチャートを参照しながら説明する。図２は、本実施形態に係るコンテンツ情報分類処理を示すフローチャートであり、図３は、本実施形態に係るウェブページ生成処理を示すフローチャートであり、図４は、本実施形態に係るウェブページ切替処理を示すフローチャートである。
【００３３】
（情報分類処理）
まず、コンテンツ情報を分類する処理について説明する。本処理は、コンテンツ情報分類部１０５により実行される。コンテンツ情報分類部１０５は、図２のステップＳ２００から処理を開始し、ステップＳ２０５にて、コンテンツサーバから取得したコンテンツ情報を新規情報と既存情報とに分類する。コンテンツ情報は、例えば情報の登録時刻情報などから、新規情報と既存情報とに分類される。コンテンツ情報には、たとえば、音楽情報、映画情報、画像情報、テキスト情報等が含まれる。
【００３４】
次に、ステップＳ２１０に進み、コンテンツ情報分類部１０５は、分類した情報のうち、新規情報についてウェブサイトに公開された時刻から現在時刻までの経過時間を算出し、ステップＳ２１５に進む。コンテンツ情報分類部１０５は、ステップＳ２１５にて、算出された経過時間が予め定められた所定時間を超えているかを判定し、超えた場合には、ステップＳ２２０にて当該新規情報を既存情報に振り分ける。一方、超えていない場合、コンテンツ情報分類部１０５は、ステップＳ２２５にて当該新規情報に緊急性があるかを判定する。緊急性がある場合、コンテンツ情報分類部１０５は、ステップＳ２３０に進み、該当新規情報を緊急新規情報に振り分ける。一方、緊急性がない場合、コンテンツ情報分類部１０５は、ステップＳ２３５に進み、該当新規情報を通常新規情報に振り分ける。
【００３５】
以上の処理により、コンテンツ情報分類部１０５は、コンテンツ情報を既存情報（Ｓ２２０）、緊急新規情報（Ｓ２３０）、通常新規情報（２３５）のいずれかに振り分けた後、ステップＳ２４０に進んで、取得したすべての新規情報の振り分けが終了したかを判定し、終了していない場合にはステップＳ２１０〜Ｓ２３５の処理を繰り返す。ステップＳ２４０にて、取得したすべての新規情報の振り分けが終了したと判定された場合には、ステップＳ２４５に進み、記憶部１１０は、振り分け済みの既存情報、通常新規情報、緊急新規情報を記憶し、ステップＳ２９５に進んで本処理を一旦終了する。
【００３６】
以上に説明したコンテンツ情報分類部１０５の動作によれば、ウェブサイトに新規に公開した時刻と現在の時刻とから公開経過期間が計算され、所定の期間を過ぎた新規情報は、既存情報に振り分けられる。また、新規情報は、即時性を要求される緊急新規情報と即時性を要求されない通常新規情報とに分類される。この分類は予め情報の発信部門（たとえば。コンテンツサーバ）が付けておく。この分類情報が未定の場合は、新規情報のすべてが、たとえば通常新規情報に分類されてもよい。
【００３７】
（ウェブページ生成処理）
次に、ウェブページを生成する処理について説明する。本処理は、ウェブページ生成部１１５により実行される。ウェブページ生成部１１５は、ウェブサーバ上にあるポータルウェブページを生成する。
【００３８】
ウェブページ生成部１１５は、図３のステップＳ３００から処理を開始し、ステップＳ３０５にて、コンテンツ情報の分類が変更されたか否かを判定する。変更されていない場合、直ちにステップＳ３９５に進み本処理を終了する。一方、コンテンツ情報の分類が変更されている場合、ウェブページ生成部１１５は、ステップＳ３１０に進み、既存情報と緊急新規情報とから構成されるアクセス抑制ポータルページを生成する。
【００３９】
次に、ウェブページ生成部１１５は、ステップＳ３１５に進んで、既存情報と緊急新規情報と通常新規情報とから構成されるアクセス促進ポータルページを生成し、ステップＳ３９５にて本処理を終了する。
【００４０】
以上の処理により、通常新規情報へのアクセスが抑制されるアクセス抑制型のポータルページと、通常新規情報へのアクセスが抑制されないアクセス促進型のポータルページが生成される。なお、コンテンツ情報部１００に通常新規情報がない場合は、両ページとも同じものになる。
【００４１】
（ウェブページ切替処理）
次に、ウェブページの切替処理について説明する。本処理は、ウェブページ切替部１２０により実行される。ウェブページ切替部１２０は、図４のステップＳ４００から処理を開始し、ステップＳ４０５にて、ウェブクライアント端末のアクセス情報中からクライアントＩＰアドレスを取得する。次に、ウェブページ切替部１２０は、ステップＳ４１０に進み、取得したＩＰアドレスを文字列情報ＩＰＴ（例：”１６８・２２４・３３０．２５５”）に変換し、ＩＰＴのチェックサムＣＳＵＭ（ＩＰＴ）を計算し、さらにＩＰＴのチェックサムＣＳＵＭ（ＩＰＴ）を２で割った余り（チェックサム余剰値）ＭＣＳＵＭ（２、ＩＰＴ）を求める。
【００４２】
例えばＩＰＴが”１６８・２２４・３３０．２５５”としてそのチェックサムＣＳＵＭ（ＩＰＴ）が１２９であった場合、チェックサム余剰値ＭＣＳＵＭ（２、ＩＰＴ）は「１」となり、チェックサムＣＳＵＭ（ＩＰＴ）が２２であった場合、チェックサム余剰値ＭＣＳＵＭ（２、ＩＰＴ）は「０」となる。
【００４３】
次に、ウェブページ切替部１２０は、ステップＳ４１５に進み、チェックサム余剰値ＭＣＳＵＭ（２、ＩＰＴ）の値に応じて送信するウェブページを切り替える。たとえば、チェックサム余剰値ＭＣＳＵＭ（２、ＩＰＴ）が「０」であった場合、ウェブページ切替部１２０は、ステップＳ４２０に進み、アクセス抑制ポータルページをウェブクライアント端末に送信する。その後、ステップＳ４９５に進んで本処理を終了する。
【００４４】
一方、チェックサム余剰値ＭＣＳＵＭ（２、ＩＰＴ）が「１」であった場合、ウェブページ切替部１２０は、ステップＳ４２５に進み、アクセス促進ポータルページをウェブクライアント端末に送信し、ステップＳ４９５に進んで本処理を終了する。
【００４５】
以上の処理により、ＩＰアドレスをチェックサム余剰値ＭＣＳＵＭ（２、ＩＰＴ）で２分割し、分割した一方にはアクセスを抑制するポータルページを表示し、もう一方にはアクセスを促進するポータルページを表示することで、新規の情報表示によるアクセス頻度増加分を半減させることができる。
【００４６】
さらに、新規情報が所定の期間を過ぎ既存情報となった時点で、ウェブページ生成部１１５が、当該情報をアクセス抑制ポータルページとアクセス促進ポータルページの双方に含むウェブページを作成するため、チェックサム余剰値ＭＣＳＵＭ（２、ＩＰＴ）が「０」となったウェブクライアント端末も当該既存情報及び緊急新規情報の閲覧は確保できる。
【００４７】
なお、チェックサム余剰値ＭＣＳＵＭ（２、ＩＰＴ）が「１」であった場合、アクセス抑制ポータルページをウェブクライアント端末に送信し、チェックサム余剰値ＭＣＳＵＭ（２、ＩＰＴ）が「０」であった場合、アクセス促進ポータルページをウェブクライアント端末に送信してもよい。
【００４８】
また、以上は説明を簡単にするためクライアントＩＰアドレスを２分割処理する手順を説明したが、同様な考え方で任意の分割数ｎで動作させることは容易に可能である。また、クライアントＩＰアドレスの分割判定はチェックサムに限らず、ＩＰアドレス各桁の総和の奇数偶数など、好適な手法を用いればよい。
【００４９】
また、ウェブページの切り替えは、所定単位時間あたりのウェブアクセス数を観察し、ウェブシステムの処理余裕がある場合には、早めにアクセス抑制ポータルページの内容をアクセス促進ポータルページと同一にするようなアクセス頻度適応型の処理をとってもよい。
【００５０】
さらに、前述したように、人の活動パターンに由来してアクセス頻度の変動が生じることを考慮すると、アクセスのピークから離れた時間帯での通常新規情報の追加に際しては、アクセスピークが高くならない可能性が大きいため、アクセスのピークから離れた時間帯では、早めにアクセス抑制ポータルページの内容をアクセス促進ポータルページと同一にするような公開時間帯適応型の処理をとってもよい。
【００５１】
また、特開２００６−１２００６８の「話題情報提示方法及び装置及びプログラム」に示されるように、通常新規情報の話題性を考慮して、話題性がそれほど高くない通常新規情報の追加は、それによるアクセスピークの増加は大きくならないと予想されるので、早めにアクセス抑制ポータルページの内容をアクセス促進ポータルページと同一にするような話題性適応型の処理をとってもよい。
【００５２】
本実施形態によれば、新規情報のうち通常新規情報へのアクセスを抑制するアクセス抑制ポータルページと、通常新規情報へのアクセスを抑制しないアクセス促進ポータルページとが生成される。これにより、ユーザからのアクセスに対してユーザに送信するウェブページを、所定のアクセス条件に基づきアクセス抑制ポータルページ又はアクセス促進ポータルページのいずれかに切り替えることができる。これによれば、所定の場合に新規情報の少なくとも一部へのアクセスを遅らせることができ、これにより、新規コンテンツ公開によるアクセス集中を時間的に分散させることができる。すなわち、ウェブサイトに対して集中的なアクセスの発生が予想されるような、話題性の高い新規のコンテンツ情報を投入するに際して、アクセスが集中するようなページを定められた割合のユーザにだけ開示することで、ユーザウェブサイトへのアクセス集中を軽減することができる。この結果、ウェブサイトのレスポンス応答時間を短縮したり、ウェブサーバの処理能力を高くしたりする必要がなくなり、ウェブサーバの構築費用やウェブサイトの運用費用を低減することができる。
【００５３】
＜第２の実施の形態＞
［アクセス制御装置の機能］
次に、本発明の第２の実施の形態に係るアクセス制御装置について、図５に示した機能構成図を参照しながら説明する。アクセス制御装置１０は、本発明の第１の実施の形態と同様に、図示しないウェブクライアント端末に、たとえば、インターネット等のネットワークを介して接続されていて、ウェブクライアント端末にウェブサーバ上にあるポータルウェブページを送信するようになっている。
【００５４】
第２の実施の形態に係るアクセス制御装置１０の機能構成は、第１の実施の形態に係るアクセス制御装置１０の機能構成と同じなので基本的説明は省略する。なお、本実施の形態では、記憶部１１０に予め定められた最長待機時間ＴＤＭＡＸが記憶されている。
【００５５】
［動作］
次に、第２の実施の形態に係るアクセス制御装置１０の各機能部の動作について、図６及び図７のフローチャートを参照しながら説明する。図６は、本実施形態に係るウェブページ生成処理を示すフローチャートであり、図７は、本実施形態に係るウェブページ切替処理を示すフローチャートである。コンテンツ情報の分類処理は、第１の実施の形態と同様に、図２に示したコンテンツ情報分類処理を示すフローチャートに基づき分類されるため、説明は省略する。
【００５６】
（ウェブページ生成処理）
次に、ウェブページを生成する処理について説明する。本処理は、ウェブページ生成部１１５により実行される。ウェブページ生成部１１５では、ウェブサーバ上にあるポータルＷｅｂページを生成する。
【００５７】
ウェブページ生成部１１５は、図６のステップＳ６００から処理を開始し、ステップＳ６０５にて、コンテンツ情報の分類が変更されたか否かを判定する。変更されていない場合、直ちにステップＳ６９５に進み本処理を終了する。
【００５８】
一方、コンテンツ情報の分類が変更されている場合、ウェブページ生成部１１５は、ステップＳ６１０に進み、以前作成された（ここでは直前の）アクセス促進ポータルページ中の通常新規情報と記憶部１１０に記憶された通常新規情報との差分Ｎｄｉｆｆを求める。ついで、ウェブページ生成部１１５は、ステップＳ６１５に進んで、通常新規情報に差分Ｎｄｉｆｆがあった場合（すなわち、新たな通常新規情報の追加があった場合）、ステップＳ６２０に進み、既存情報と緊急新規情報と差分Ｎｄｉｆｆを除く通常新規情報とからアクセス抑制ポータルページを生成する。
【００５９】
次に、ウェブページ生成部１１５は、ステップＳ６２５に進み、アクセス抑制ポータルページの生成時刻Ｔｐを記憶部１１０に記憶し、ステップＳ６３０に進んで、既存情報と緊急新規情報と通常新規情報とから構成されるアクセス促進ポータルページを生成する。
【００６０】
以上の処理により、通常新規情報のうち、通常新規情報の差分Ｎｄｉｆｆへのアクセスが抑制されるアクセス抑制型のポータルページと、通常新規情報へのアクセスが抑制されないアクセス促進型のポータルページとが生成される。なお、コンテンツ情報部１００に通常新規情報がない場合は、両ページとも同じものになる。
【００６１】
（ウェブページ切替処理）
次に、ウェブページの切替処理について説明する。本処理は、ウェブページ切替部１２０により実行される。ウェブページ切替部１２０は、図７のステップＳ７００から処理を開始し、ステップＳ７０５にて現在時刻Ｔを取得する。次に、ウェブページ切替部１２０は、ステップＳ７１０に進んで、取得した時刻Ｔとウェブページ生成部１１５がアクセス抑制ポータルページを生成した時刻Ｔｐとの時間差ＴＤを求める。
【００６２】
ついで、ウェブページ切替部１２０は、ステップＳ７１５に進み、取得した時刻Ｔとアクセス抑制ポータルページ生成時刻Ｔｐとの時間差ＴＤと、記憶部１１０に記憶された最長待機時間ＴＤＭＡＸとを比較する。比較の結果、時間差ＴＤが、予め定められた最長待機時間ＴＤＭＡＸを超えた場合、ウェブページ切替部１２０は、ステップＳ７２０に進んで、アクセス促進ポータルページを送信し、ステップＳ７９５に進んで本処理を終了する。
【００６３】
一方。時間差ＴＤが、予め定められた最長待機時間ＴＤＭＡＸ以下の場合、ウェブページ切替部１２０は、ステップＳ７２５に進んで、アクセス抑制ポータルページを送信し、ステップＳ７９５に進んで本処理を終了する。
【００６４】
本実施形態によれば、ウェブサイトに対して集中的なアクセスの発生が予想されるような、話題性の高い新規のコンテンツ情報を投入するに際して、直近の通常新規情報との差分Ｎｄｉｆｆを求め、差分Ｎｄｉｆｆが小さい場合、新規コンテンツの公開を遅らせる。このようにして、本実施形態では、新規コンテンツ公開の時間的集中を避ける仕組みを構築することができる。これにより、新規コンテンツ公開によるアクセス集中を時間的に分散させることができる。
【００６５】
以上、各実施形態によれば、ウェブサイトに集中的なアクセスの発生が予想される新規のコンテンツを投入するに際して、時間を少しずらすなどの時分割によりアクセス集中を軽減したり、アクセスが集中するようなページを定められた割合のユーザにだけ開示することで、ウェブサイトへのアクセス集中を抑制することができる。この結果、ウェブサイトのレスポンス応答時間を短縮したり、ウェブサーバの処理能力を高くしたりする必要がなく、ウェブサーバの構築費用やウェブサイトの運用費用を低減することができる。
【００６６】
上記実施形態において、各部の動作はお互いに関連しており、互いの関連を考慮しながら、一連の動作として置き換えることができる。これにより、アクセス制御装置の実施形態を、アクセス制御方法の実施形態およびそのアクセス制御装置が有する機能をコンピュータに実現させるためのプログラムの実施形態とすることができる。
【００６７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６８】
たとえば、本発明のアクセス制御装置は、新規情報のうち、通常新規情報へのアクセス抑制に限られず、その他の種類の新規情報へのアクセスを所定期間だけ抑制してもよい。また、新規情報へのアクセスの抑制だけでなく、既存情報へのアクセスを所定期間だけ抑制してもよい。
【図面の簡単な説明】
【００６９】
【図１】本発明の第１の実施の形態にかかるアクセス制御装置の機能構成図である。
【図２】同実施形態にかかる情報分類処理を示したフローチャートである。
【図３】同実施形態にかかるウェブページ生成処理を示したフローチャートである。
【図４】同実施形態にかかるウェブページ切替処理を示したフローチャートである。
【図５】本発明の第２の実施の形態にかかるアクセス制御装置の機能構成図である。
【図６】同実施形態にかかるウェブページ生成処理を示したフローチャートである。
【図７】同実施形態にかかるウェブページ切替処理を示したフローチャートである。
【符号の説明】
【００７０】
１０      アクセス制御装置
１０５    コンテンツ情報分類部
１１０    記憶部
１１５    ウェブページ生成部
１２０    ウェブページ切替部
【図１】
2010073053.tif 000003
【図２】
2010073053.tif 000004
【図３】
2010073053.tif 000005
【図４】
2010073053.tif 000006
【図５】
2010073053.tif 000007
【図６】
2010073053.tif 000008
【図７】
2010073053.tif 000009